(57)【要約】【課題】カーテンウォール用固定装置について、横風の耐圧強度を高めること。【解決手段】接地板１０と、中間部材２０と、対物接続部材３０と、脱落防止部材４０とを有するカーテンウォール用固定装置である。中間部材２０は、嵌合下凹溝２１と、２つの丸頭型サイドリブ２３と、２つの後端直角状サイドリブ２４と、リアリブ２５とを有する。対物接続部材３０は、平面視でほぼコの字型に形成されており、前板３２と、それぞれ前板３２の両側に位置し、且つ相互に対向する２枚の側板３１，３３と、それぞれ側板３１，３３の内側に位置する２つの丸型凹溝３５とを有する。側板３１，３３は、それぞれ中間部材２０の両側の面を覆い、前板３２はカーテンウォール側の面が接合手段５１によってカーテンウォールと接合しており、２枚の側板３１，３３の内面に、それぞれ２つの丸頭型サイドリブ２３と対応して嵌合する２つの丸型凹溝３５を有する。【選択図】図１
2018112052.tif 000002
【特許請求の範囲】
【請求項１】
対地接続部材と、中間部材と、対物接続部材と、脱落防止部材とを有するカーテンウォール用固定装置であって、
前記対地接続部材は、側面視でほぼＦ字型に形成され、対地接続板と、先端上凸型板と、脱落防止上凸型板とを有し、
前記対地接続板は、固定手段により地面または床板面に固定され、
前記先端上凸型板は、側面視で前記対地接続板においてカーテンウォール側の一端側に位置し、地面または床板面と垂直にまたは傾斜角度を有して前記対地接続板から上方に向かって突出するように形成され、
前記脱落防止上凸型板は、側面視で前記先端上凸型板に対して前記カーテンウォール側の反対側に位置し、且つ前記先端上凸型板と間隔を空けて地面または床板面と垂直に前記対地接続板から上方に向かって突出するように形成され、上端面に複数のねじ穴を有し、ボルトによって前記脱落防止部材が固定され、
前記中間部材は、嵌合下凹溝と、２つの丸頭型サイドリブと、２つの後端直角状サイドリブと、リアリブとを有し、
前記嵌合下凹溝は、前記中間部材の下側の面に形成され、側面視で下方に向かって開口しており、前記先端上凸型板が対応して嵌合され、
前記２つの丸頭型サイドリブは、平面視で前記嵌合下凹溝の前記カーテンウォール側に位置し、前記中間部材の両側の面から対称的にそれぞれ前記カーテンウォールのウォール面と平行な方向に両側に向かって突出するように形成され、
前記２つの後端直角状サイドリブは、平面視で前記嵌合下凹溝に対して前記カーテンウォール側の反対側となる両端の角に位置し、前記中間部材の両側の面から対称的にそれぞれ前記カーテンウォールのウォール面と平行な方向に両側に向かって突出するように形成され、
前記リアリブは、平面視で前記２つの後端直角状サイドリブに対して前記カーテンウォール側とは反対の面から、前記カーテンウォールから離れる方向に向かって突出するように形成され、突出した端面に左右方向に延伸する被係止凹部が形成されており、
前記対物接続部材は、平面視でほぼコの字型に形成され、前板と、それぞれ前記前板の両側に位置し且つ互いに対向する２枚の側板と、それぞれ前記側板の内側に位置する２つの丸型凹溝とを有し、
前記側板は、それぞれ前記中間部材の両側の面を覆い、前記前板は前記カーテンウォール側の面が接合手段により前記カーテンウォールと接合し、前記２枚の側板の内面に、それぞれ前記２つの丸頭型サイドリブと対応して嵌合する前記２つの丸型凹溝を有し、
前記脱落防止部材は、平面視で前記カーテンウォール側の面に形成される平面視で前記リアリブの前記被係止凹部と対応して係合する係合部と、ボルトが通る複数の貫通穴とを有し、複数のボルトを前記複数の貫通穴に通して、前記対地接続部材における前記対地接続板の脱落防止上凸型板に固定されることにより、前記中間部材の上及び／または左右への移動が制限され、
前記２つの後端直角状サイドリブの前記カーテンウォール側の面と、前記嵌合下凹溝において前記カーテンウォール側とは反対の面とは同一面であり、
前記２つの後端直角状サイドリブの下側の一部は、前記先端上凸型板と前記脱落防止上凸型板との間に挿入されている、
ことを特徴とするカーテンウォール用固定装置。
【請求項２】
前記対物接続部材の前記２枚の側板の前記カーテンウォール側とは反対の両端面と、前記嵌合下凹溝の前記カーテンウォール側の面とが同一面上に位置している、
ことを特徴とする請求項１に記載のカーテンウォール用固定装置。
【請求項３】
前記先端上凸型板は、上方の上端が側面視で円形状の丸頭に形成されており、当該丸頭の直径が前記先端上凸型板の板厚より大きい、
ことを特徴とする請求項１または請求項２に記載のカーテンウォール用固定装置。
【請求項４】
前記中間部材は、２つの先端直角状サイドリブをさらに有し、
前記２つの先端直角状サイドリブは、平面視で前記カーテンウォール側の両端の角に位置し、前記中間部材の両側の面から両側に向かって対称的にそれぞれ前記カーテンウォールのウォール面と平行な方向に突出するように形成され、
前記対物接続部材は、それぞれ前記２つの先端直角状サイドリブと対応して嵌合する２つの直角凹溝をさらに有している、
ことを特徴とする請求項１または請求項２に記載のカーテンウォール用固定装置。
【請求項５】
前記対物接続部材には、平面視でほぼコの字型の両角部にそれぞれ面取り状の傾斜部が形成されている、
ことを特徴とする請求項１または請求項２に記載のカーテンウォール用固定装置。
【請求項６】
前記２つの丸型凹溝のうちいずれか１つには、内側面にめねじが形成されており、前記中間部材と前記対物接続部材との高さの位置関係を調整する高度調整ボルトが上方からねじ込まれている、
ことを特徴とする請求項１または請求項２に記載のカーテンウォール用固定装置。
【請求項７】
前記脱落防止部材には、側面視で前記カーテンウォールの反対側に、下方に向かって突出するフック部がさらに形成され、
前記脱落防止上凸型板には、側面視で上端に、前記フック部に対応するフック受け部がさらに形成され、
前記脱落防止部材のフック部は、前記脱落防止上凸型板のフック受け部に引っ掛けられている、
ことを特徴とする請求項１または請求項２に記載のカーテンウォール用固定装置。
【請求項８】
前記対地接続板の固定手段は、板厚方向を貫通する複数の丸型貫通穴を有し、複数のボルトが前記複数の丸型貫通穴を貫通し、ナットと螺合して、前記対地接続部材を地面または床板面に固定されており、当該複数の丸型貫通穴は前記カーテンウォールのウォール面と平行な方向に互いに間隔を空けて並列に配置され、
前記複数の丸型貫通穴は長丸穴であり、当該長丸穴の長手方向は前記カーテンウォールのウォール面と垂直または平行であり、
前記ナットと前記対地接続板との間にガスケットが設置され、前記対地接続板と前記ガスケットとが互いに対向する面に、それぞれ滑り止め面が形成されている、
ことを特徴とする請求項１または請求項２に記載のカーテンウォール用固定装置。
【請求項９】
前記中間部材は、前記カーテンウォール側の面に、平面視で前記カーテンウォールから離れる方向に向かって窪む凹部を有している、
ことを特徴とする請求項１または請求項２に記載のカーテンウォール用固定装置。
【請求項１０】
前記中間部材には、平面視で中央に中空部が形成されている、
ことを特徴とする請求項１または請求項２に記載のカーテンウォール用固定装置。
【請求項１１】
前記リアリブは左右２つに分かれている、
ことを特徴とする請求項１または請求項２に記載のカーテンウォール用固定装置。
【請求項１２】
前記リアリブには、それぞれ後ろ側の端面に、それぞれ左右方向の外側に向かって延伸する２つの延伸部が形成されており、当該２つの延伸部にはそれぞれ被係止凹部が形成されており、前記脱落防止部材は、前記係合部より外側の係止凸部が前記被係止凹部に挿入されることにより係止されている、
ことを特徴とする請求項１または請求項２に記載のカーテンウォール用固定装置。
【請求項１３】
前記対物接続部材の前記２枚の側板のうちいずれか１つまたは双方の外側面における、側面視で前記２つの丸型凹溝と重なる直線上の下方の位置において、前記２つの丸型凹溝のうち１つまたは双方の内側面を貫通する小型ねじ穴が形成されており、小型ねじが前記小型ねじ穴にねじ込んで貫通され、前記丸型凹溝の内側面から突出されている、
ことを特徴とする請求項１または請求項２に記載のカーテンウォール用固定装置。
【請求項１４】
請求項１から請求項１１のいずれか一項に記載のカーテンウォール用固定装置を有する  カーテンウォール用固定装置であって、
前記中間部材、前記対物接続部材、前記脱落防止部材はそれぞれ２個有し、１つの前記対地接続部材に左右に並列して配置されている、
ことを特徴とするカーテンウォール用固定装置。
【発明の詳細な説明】
【技術分野】
【０００１】
本発明は、カーテンウォール用固定装置に関し、より具体的には、カーテンウォールを地面または床板面に固定する固定装置に関する。
【背景技術】
【０００２】
このようなカーテンウォール用固定装置としては、特許文献１のような従来技術が知られている。この従来技術は、地面または床板面に固定された接地部材と、カーテンウォールに接合する対物接続部材とを有している。
【先行技術文献】
【特許文献】
【０００３】
【特許文献１】特許第３２８４３９４号公報
【発明の概要】
【発明が解決しようとする課題】
【０００４】
上記の従来技術は、以下の問題を有している。
このようなカーテンウォール用固定装置は、正面からの風が吹くことにより生じる正風圧力には耐えることができる。しかしながら、左右両側から風が吹くことにより生じる横風圧力には耐えられず、左右側の風が吹くことにより生じる横風圧力が対物接続部材を左右に搖動させ、横風圧力により生じるトルクが対物接続部材の平面視で十文字に交差する一点に集中するため、トルクの集中箇所が疲労により亀裂、さらには断裂を生じやすくなる。
【０００５】
本発明は、カーテンウォール用固定装置について、横風圧力の耐圧強度を高めることを目的とする。
【課題を解決するための手段】
【０００６】
上記目的を達成するため、本発明に係るカーテンウォール用固定装置は、対地接続部材と、中間部材と、対物接続部材と、脱落防止部材とを有するカーテンウォール用固定装置であって、前記対地接続部材は、側面視でほぼＦ字型に形成され、対地接続板と、先端上凸型板と、脱落防止上凸型板とを有し、前記対地接続板は、固定手段により地面または床板面に固定され、前記先端上凸型板は、側面視で前記対地接続板においてカーテンウォール側の一端側に位置し、地面または床板面と垂直にまたは傾斜角度を有して前記対地接続板から上方に向かって突出するように形成され、前記脱落防止上凸型板は、側面視で前記先端上凸型板に対して前記カーテンウォール側の反対側に位置し、且つ前記先端上凸型板と間隔を空けて地面または床板面と垂直に前記対地接続板から上方に向かって突出するように形成され、上端面に複数のねじ穴を有し、ボルトによって前記脱落防止部材が固定され、前記中間部材は、嵌合下凹溝と、２つの丸頭型サイドリブと、２つの後端直角状サイドリブと、リアリブとを有し、前記嵌合下凹溝は、前記中間部材の下側の面に形成され、側面視で下方に向かって開口しており、前記先端上凸型板が対応して嵌合され、前記２つの丸頭型サイドリブは、平面視で前記嵌合下凹溝の前記カーテンウォール側に位置し、前記中間部材の両側の面から対称的にそれぞれ前記カーテンウォールのウォール面と平行な方向に両側に向かって突出するように形成され、前記２つの後端直角状サイドリブは、平面視で前記嵌合下凹溝に対して前記カーテンウォール側の反対側となる両端の角に位置し、前記中間部材の両側の面から対称的にそれぞれ前記カーテンウォールのウォール面と平行な方向に両側に向かって突出するように形成され、前記リアリブは、平面視で前記２つの後端直角状サイドリブに対して前記カーテンウォール側とは反対の面から、前記カーテンウォールから離れる方向に向かって突出するように形成され、突出した端面に左右方向に延伸する被係止凹部が形成されており、前記対物接続部材は、平面視でほぼコの字型に形成され、前板と、それぞれ前記前板の両側に位置し且つ互いに対向する２枚の側板と、それぞれ前記側板の内側に位置する２つの丸型凹溝とを有し、前記側板は、それぞれ前記中間部材の両側の面を覆い、前記前板は前記カーテンウォール側の面が接合手段により前記カーテンウォールと接合し、前記２枚の側板の内面に、それぞれ前記２つの丸頭型サイドリブと対応して嵌合する前記２つの丸型凹溝を有し、前記脱落防止部材は、平面視で前記カーテンウォール側の面に形成される平面視で前記リアリブの前記被係止凹部と対応して係合する係合部と、ボルトが通る複数の貫通穴とを有し、複数のボルトを前記複数の貫通穴に通して、前記対地接続部材における前記対地接続板の脱落防止上凸型板に固定されることにより、前記中間部材の上及び／または左右への移動が制限され、前記２つの後端直角状サイドリブの前記カーテンウォール側の面と、前記嵌合下凹溝において前記カーテンウォール側とは反対の面とは同一面であり、前記２つの後端直角状サイドリブの下側の一部は、前記先端上凸型板と前記脱落防止上凸型板との間に挿入されていることを特徴とする。
【０００７】
また本発明は、上述したカーテンウォール用固定装置において、前記対物接続部材の前記２枚の側板の前記カーテンウォール側とは反対の両端面と、前記嵌合下凹溝の前記カーテンウォール側の面とが同一面上に位置していることを特徴とする。
【０００８】
また本発明は、上述したカーテンウォール用固定装置において、前記先端上凸型板は、上方の上端が側面視で円形状の丸頭に形成されており、当該丸頭の直径が前記先端上凸型板の板厚より大きいことを特徴とする。
【０００９】
また本発明は、上述したカーテンウォール用固定装置において、前記中間部材は、２つの先端直角状サイドリブをさらに有し、前記２つの先端直角状サイドリブは、平面視で前記カーテンウォール側の両端の角に位置し、前記中間部材の両側の面から両側に向かって対称的にそれぞれ前記カーテンウォールのウォール面と平行な方向に突出するように形成され、前記対物接続部材は、それぞれ前記２つの先端直角状サイドリブと対応して嵌合する２つの直角凹溝をさらに有していることを特徴とする。
【００１０】
また本発明は、上述したカーテンウォール用固定装置において、前記対物接続部材には、平面視でほぼコの字型の両角部にそれぞれ面取り状の傾斜部が形成されていることを特徴とする。
【００１１】
また本発明は、上述したカーテンウォール用固定装置において、前記２つの丸型凹溝のうちいずれか１つには、内側面にめねじが形成されており、前記中間部材と前記対物接続部材との高さの位置関係を調整する高度調整ボルトが上方からねじ込まれていることを特徴とする。
【００１２】
また本発明は、上述したカーテンウォール用固定装置において、前記脱落防止部材には、側面視で前記カーテンウォールの反対側に、下方に向かって突出するフック部がさらに形成され、前記脱落防止上凸型板には、側面視で上端に、前記フック部に対応するフック受け部がさらに形成され、前記脱落防止部材のフック部は、前記脱落防止上凸型板のフック受け部に引っ掛けられていることを特徴とする。
【００１３】
また本発明は、上述したカーテンウォール用固定装置において、前記対地接続板の固定手段は、板厚方向を貫通する複数の丸型貫通穴を有し、複数のボルトが前記複数の丸型貫通穴を貫通し、ナットと螺合して、前記対地接続部材を地面または床板面に固定されており、当該複数の丸型貫通穴は前記カーテンウォールのウォール面と平行な方向に互いに間隔を空けて並列に配置され、前記複数の丸型貫通穴は長丸穴であり、当該長丸穴の長手方向は前記カーテンウォールのウォール面と垂直または平行であり、前記ナットと前記対地接続板との間にガスケットが設置され、前記対地接続板と前記ガスケットとが互いに対向する面に、それぞれ滑り止め面が形成されていることを特徴とする。
【００１４】
また本発明は、上述したカーテンウォール用固定装置において、前記中間部材は、前記カーテンウォール側の面に、平面視で前記カーテンウォールから離れる方向に向かって窪む凹部を有していることを特徴とする。
【００１５】
また本発明は、上述したカーテンウォール用固定装置において、前記中間部材には、平面視で中央に中空部が形成されていることを特徴とする。
【００１６】
また本発明は、上述したカーテンウォール用固定装置において、前記リアリブは左右２つに分かれていることを特徴とする。
【００１７】
また本発明は、上述したカーテンウォール用固定装置において、前記リアリブには、それぞれ後ろ側の端面に、それぞれ左右方向の外側に向かって延伸する２つの延伸部が形成されており、当該２つの延伸部にはそれぞれ被係止凹部が形成されており、前記脱落防止部材は、前記係合部より外側の係止凸部が前記被係止凹部に挿入されることにより係止されていることを特徴とする。
【００１８】
また本発明は、上述したカーテンウォール用固定装置において、前記対物接続部材の前記２枚の側板のうちいずれか１つまたは双方の外側面における、側面視で前記２つの丸型凹溝と重なる直線上の下方の位置において、前記２つの丸型凹溝のうち１つまたは双方の内側面を貫通する小型ねじ穴が形成されており、小型ねじが前記小型ねじ穴にねじ込んで貫通され、前記丸型凹溝の内側面から突出されていることを特徴とする。
【００１９】
また本発明は、上述したカーテンウォール用固定装置において、前記中間部材、前記対物接続部材、前記脱落防止部材はそれぞれ２個有し、１つの前記対地接続部材に左右に並列して配置されていることを特徴とする。
【図面の簡単な説明】
【００２０】
【図１】本発明の第１実施例を示す平面図である。
【図２】本発明の第１実施例の一部断面を示す側面図である。
【図３】本発明の第１実施例を示す分解立体図である。
【図４】（Ａ）〜（Ｄ）は、本発明の第１実施例の変形例を示す平面図である。
【図５】本発明の第２実施例を示す平面図である。
【図６】本発明の第２実施例の一部断面を示す側面図である。
【図７】本発明の第２実施例を示す組立立体図である。
【発明を実施するための形態】
【００２１】
以下、図面を参照して本発明の各実施例を説明する。
本発明における各方向の説明について、特に説明がない場合、いずれの場合も図１の上、下、左、右がそれぞれ前、後、左、右の方向を指し、図２の上、下がそれぞれ上、下の方向を指す。
上記の本発明の横風圧力とは、左側または右側から風が吹くことで、カーテンウォールに生じる風圧を指す。
以下の実施例は、本発明を例示するに過ぎず、本発明を限定するものではない。
【００２２】
＜第１実施例＞
図１〜図４は、本発明の第１実施例を示す模式図である。
［第１の発明］
図１〜図３に示すように、本発明のカーテンウォール用固定装置は、接地板（対地接続部材）１０と、中間部材２０と、対物接続部材３０と、脱落防止部材４０とを有している。
【００２３】
接地板１０は、側面視でほぼＦ字型に形成されており、対地接続板１１と、先端上凸型板１２と、脱落防止上凸型板１３とを有している。
【００２４】
対地接続板１１は、固定手段１６により地面または床板面６０に固定される。固定手段１６としては、従来のねじ止め、溶接、接着等の固定方法が挙げられる。後述するように、本発明においては、ねじ止めの例を示す。
【００２５】
先端上凸型板１２は、側面視で対地接続板１１においてカーテンウォール５０側の一端側に位置し、地面または床板面６０と垂直または傾斜角度を有して対地接続板１１から上方に向かって突出するように形成されている。
【００２６】
脱落防止上凸型板１３は、側面視で先端上凸型板１２に対してカーテンウォール５０側の反対側に位置し、且つ先端上凸型板１２との間に間隔を空けて、地面または床板面６０と垂直に対地接続板１１から上方に向かって突出するように形成されており、上端面にボルトによって脱落防止部材４０を固定できる複数のねじ穴を有している。
【００２７】
中間部材２０は、嵌合下凹溝２１と、２つの丸頭型サイドリブ２３と、２つの後端直角状サイドリブ２４と、リアリブ２５とを有している。嵌合下凹溝２１は中間部材２０の下側の面に形成され、側面視で下方に開口しており、先端上凸型板１２に対応して嵌合可能である。２つの丸頭型サイドリブ２３は平面視で嵌合下凹溝２１に対してカーテンウォール５０側に位置し、中間部材２０の両側の面から両側に向かって対称的にそれぞれカーテンウォール５０のウォール面と平行な方向に突出するように形成されている。
【００２８】
２つの後端直角状サイドリブ２４は、平面視で嵌合下凹溝２１に対してカーテンウォール５０側の反対側となる両端の角に位置し、中間部材２０の両側の面から両側に向かって対称的にそれぞれカーテンウォール５０のウォール面と平行な方向（左右方向）に突出するように形成されている。
【００２９】
リアリブ２５は、平面視で２つの後端直角状サイドリブ２４に対してカーテンウォール５０側とは反対の面から、カーテンウォール５０から離れる方向（後ろ方向）に向かって突出するように形成されている。リアリブ２５の突出した端面（後ろ側の端面）には、左右方向に延伸した被係止凹部２６が形成されている。
【００３０】
対物接続部材３０は、平面視でほぼコの字型に形成されており、前板３２と、それぞれ前板３２の両側に位置し、且つ相互に対向する２枚の側板３１，３３と、それぞれ側板３１，３３の内側に位置する２つの丸型凹溝３５とを有している。
【００３１】
側板３１，３３は、それぞれ中間部材２０の両側の面を覆い、前板３２はカーテンウォール５０側の面が接合手段５１によってカーテンウォール５０と接合されている。２枚の側板３１，３３の内面は、それぞれ２つの丸頭型サイドリブ２３と対応して嵌合する２つの丸型凹溝３５を有している。接合手段５１としては、従来のねじ止め、溶接、接着等の固定方法が挙げられる。本発明では、ボルト５１ａが対物接続部材３０における前板３２の対応する貫通穴を通過して、対物接続部材３０が挟まれるように固定板５１ｂに固定される例を示している。
【００３２】
脱落防止部材４０は、平面視でカーテンウォール５０側の面に形成される、平面視でリアリブ２５の被係止凹部２６と対応して係合可能な係合部４２と、ボルトが通過するための複数の貫通穴４３とを有し、複数のボルト４１を複数の貫通穴４３に通して、接地板１０の対地接続板１１の脱落防止上凸型板１３に固定されることにより、中間部材２０の上及び／または左右への移動を制限する。
【００３３】
２つの後端直角状サイドリブ２４のカーテンウォール５０側の面と、嵌合下凹溝２１においてカーテンウォール５０側とは反対の面とは、同一の面である。２つの後端直角状サイドリブ２４の下側の一部は、先端上凸型板１２と脱落防止上凸型板１３との間に挿入される。
【００３４】
対物接続部材３０が平面視でほぼコの字型に形成され、２枚の側板３１，３３がそれぞれ中間部材２０の両側の面を覆い、並びに２つの丸頭型サイドリブ２３及び２つの丸型凹溝３５の２か所の円弧状の面が接触して嵌合することにより、トルクの集中箇所を「点」から「面」に拡大し、２つの「円弧面」とすることで、トルクの影響をさらに分散し、対物接続部材３０が左右の横風を受けることにより生じる左右の揺れ幅を抑制すること、即ち横風圧力の耐圧強度をさらに高めることができる。
【００３５】
＜変形例＞
［第２の発明］
図２に示すように、上記の発明に対して、対物接続部材３０の２枚の側板３１，３３においてカーテンウォール５０側とは反対の両端面と、嵌合下凹溝２１のカーテンウォール５０側の面とは、同一面上に位置する。
【００３６】
対物接続部材３０の２枚の側板３１，３３においてカーテンウォール５０側とは反対の両端面と、嵌合下凹溝２１のカーテンウォール５０側の面とが同一面上に位置することで、左右の横風により生じるトルクを対物接続部材３０の２か所の付勢面に付加し、当該両端面の両面にさらに分散させることができ、即ち４面に増やすことができ、横風圧力の耐圧強度をさらに高めることができる。
【００３７】
［第３の発明］
図６、図７に示すように、上記の各発明に対して、先端上凸型板１２は、上方の上端に側面視で円形の丸頭１５が形成されており、当該丸頭１５の直径は先端上凸型板１２の板厚より大きい。
【００３８】
先端上凸型板１２の上方の上端に側面視で円形の丸頭１５が形成され、当該丸頭１５の直径が先端上凸型板１２の板厚より大きいことにより、中間部材２０と接地板１０との間を円弧状の面で接触させることができ、重量の集中具合を分散でき、カーテンウォール５０の角度の微調整が可能となる。その結果、接地板１０の先端上凸型板１２の横風圧力の耐圧強度及び荷重の強度を高めることができる。
【００３９】
［第４の発明］
図４（Ｂ）、（Ｃ）に示すように、上記の各発明に対して、中間部材２０は、２つの先端直角状サイドリブ２２をさらに有している。２つの先端直角状サイドリブ２２は、平面視でカーテンウォール５０側となる両端の角に位置し、中間部材２０の両側の面から両側に向かってそれぞれ対称的にカーテンウォール５０のウォール面と平行な方向に突出するように形成されている。対物接続部材３０は、それぞれ２つの先端直角状サイドリブ２２に対応して嵌合する２つの直角凹溝３４をさらに有している。
【００４０】
２つの先端直角状サイドリブ２２及び２つの直角凹溝３４をさらに有していることにより、対物接続部材３０が左右の横風を受けることにより生じる左右の揺れ幅をさらに抑制できるだけでなく、対物接続部材３０と中間部材２０との間の摺動を抑制できることで、トルクの影響をさらに分散でき、また、対物接続部材３０と中間部材２０との摺動を抑制できることで、横風圧力の耐圧強度をさらに高めることができる。
【００４１】
［第５の発明］
図４（Ｃ）、（Ｄ）に示すように、上記の各発明に対して、対物接続部材３０の平面視でほぼコの字型の２つの角部には、それぞれ面取り状の傾斜部３９が形成されている。
傾斜部３９を形成することにより、力の分散効果を生じ、対物接続部材３０、中間部材２０、接地板１０に付加されるトルクをさらに減少でき、横風圧力の耐圧強度をさらに高めることができる。
【００４２】
［第６の発明］
図３に示すように、２つの丸型凹溝３５のうちいずれか１つの内側面にはめねじが形成されており、高度調整ボルト３６を上方からねじ込むことにより中間部材２０と対物接続部材３０との高さの位置関係を調整する。
【００４３】
２つの丸型凹溝３５のいずれか１つの内側面にめねじが形成されることにより、高度調整ボルト（及びナット）と共用でき、高度調整ボルトが接地板１０の先端上凸型板１２に接触しない。このため、高度調整ボルトと先端上凸型板１２の上端面とが接触することに起因して生じる先端上凸型板１２の上端面の損傷を防止し、先端上凸型板１２の強度が低下することを避けることができる。
【００４４】
［第７の発明］
上記の各発明に対して、脱落防止部材４０には、側面視でカーテンウォール５０の反対側に、下方に向かって突出するフック部４０ａがさらに形成される（図６）。脱落防止上凸型板１３には、側面視で上端にフック部４０ａに対応するフック受け部１３ａがさらに形成される。脱落防止部材４０のフック部４０ａは、脱落防止上凸型板１３のフック受け部１３ａに引っ掛けられる。
【００４５】
脱落防止部材４０にフック部４０ａを形成し、脱落防止上凸型板１３にフック受け部１３ａを形成し、脱落防止部材４０のフック部４０ａが脱落防止上凸型板１３のフック受け部１３ａに引っ掛けられることにより、中間部材２０の脱落防止効果をさらに強化できる。
【００４６】
［第８の発明］
図３、図７に示すように、上記の各発明に対して、対地接続板１１の固定手段１６は、板厚方向を貫通する複数の丸型貫通穴１４を有し、複数のボルトがそれぞれ複数の丸型貫通穴１４を貫通してナット１６ａと螺合し、接地板１０を地面または床板面６０に固定することができる。当該複数の丸型貫通穴１４は、カーテンウォール５０のウォール面と平行な方向に互いに間隔を空けて並列に配置される。複数の丸型貫通穴１４は長丸穴である。当該長丸穴の長手方向は、カーテンウォール５０のウォール面と垂直または平行である。
【００４７】
対地接続板１１の固定手段１６としてねじ止め方式を採用することにより、容易且つ確実に施工を行うことができる。また、長丸穴を採用することにより、接地板１０の前後または左右の位置の微調整を容易に行うことができる。
【００４８】
さらに、ナット１６ａと対地接続板１１との間にガスケット１７を設置し、対地接続板１１とガスケット１７とが互いに対向する面に、例えば鋸歯状またはエンボス状の滑り止め面１８（１１ａ，１７ａ）を形成する。これにより、ボルトまたはナット１６ａが緩むことで、固定装置全体、さらにはカーテンウォール５０全体の緩みまたは変位が生じることを防止できる。
【００４９】
［第９の発明］
図４（Ｃ）、（Ｄ）に示すように、上記の各発明に対して、中間部材２０は、カーテンウォール５０側の面に、平面視でカーテンウォール５０から離れる方向に向かって窪む凹部２７を有している。
中間部材２０に凹部２７を形成することにより、例えばボルト５１ａの頭部等の接合手段５１を収納するスペースを後退させ、カーテンウォール５０の前後方向の距離を縮小させる。
【００５０】
［第１０〜１２の発明］
図４（Ａ）〜（Ｄ）に示すように、上記の各発明に対して、中間部材２０は、平面視で中央に中空部２８を形成する。さらに、リアリブ２５は、左右２つに分けられる。さらに、各リアリブ２５の後ろ側の端面には、それぞれ左右方向の外側に向かって延伸する２つの延伸部２５ａが形成されており、当該２つの延伸部２５ａにはそれぞれ被係止凹部２６ａが形成されている。また、脱落防止部材４０は、係合部４２より外側の係止凸部４４が被係止凹部２６ａに挿入されることによって係止される。
中間部材２０に中空部２８を形成し、リアリブ２５を左右２つに分けることにより、中間部材２０の重量を軽減できる。
【００５１】
［第１３の発明］
図３、図７に示すように、対物接続部材３０の２枚の側板３１，３３のうちいずれか１枚または双方の外側面において、側面視で２つの丸型凹溝３５と重なる直線上の下方の位置には、２つの丸型凹溝３５のうちの１つまたは双方の内側面を貫通する小型ねじ穴３７が形成されている。小型ねじ穴３７には、小型ねじ３８をねじ込んで貫通させ、２つの丸型凹溝３５の内側面から突出させる。
これにより、中間部材２０の脱落を防止できる。
【００５２】
＜他の変形例＞
図４（Ｂ）、（Ｃ）において、互いに対応して嵌合する２つの先端直角状サイドリブ２２及び２つの直角凹溝３４は直角状であるが、図４（Ｄ）に示すように、それぞれ丸頭状または凹状円弧状であってもよい。なお、両者の効果はいずれも同じである。
【００５３】
＜第２実施例＞
図５〜図７は、本発明の第２実施例を示す模式図である。
［第１４の発明］
上記の各発明に対して、中間部材２０、対物接続部材３０を２組有し、１つの接地板１０に左右に並列して配置され、同一のカーテンウォール５０に同時に固定することができ、或いは２つの異なるカーテンウォール５０をそれぞれ固定することができる。脱落防止部材４０の長さは、２つの中間部材２０の被係止凹部２６または２６ａを同時に係止できる。
１つの接地板１０に中間部材２０及び対物接続部材３０を２組配置することにより、カーテンウォール用固定装置の左右方向の寸法を縮小し、部品の数量を減少することができる。
【００５４】
以上、本発明の実施例を説明したが、本発明は上記の実施例に限定されない。本発明を実質的に逸脱しない範囲内で各種の均等効果の変更を行うことができる。上記の各実施例は矛盾しない限り、相互に任意に組み合わせることができる。
【符号の説明】
【００５５】
１０  接地板、１１  対地接続板、１２  先端上凸型板、１３  脱落防止上凸型板、１３ａ  フック受け部、１４  丸型貫通穴、１５  丸頭、１６  固定手段（ボルト）、１６ａ  ナット、１７  ガスケット、１８（１１ａ，１７ａ）  滑り止め面、２０  中間部材、２１  嵌合下凹溝、２２  先端直角状サイドリブ、２３  丸頭型サイドリブ、２４  後端直角状サイドリブ、２５  リアリブ、２５ａ  延伸部、２６  被係止凹部、２６ａ  被係止凹部、２７  凹部、２８  中空部、３０  対物接続部材、３１，３３  側板、３２  前板、３４  直角凹溝、３５  丸型凹溝、３６  高度調整ボルト、３７  小型ねじ穴、３８  小型ねじ、３９  傾斜部、４０  脱落防止部材、４０ａ  フック部、４１  ボルト、４２  係合部、４３  貫通穴、４４  係止凸部、５０  カーテンウォール、５１  接合手段、５１ａ  ボルト、５１ｂ  固定板、６０  床板面
【図１】
2018112052.tif 000003
【図２】
2018112052.tif 000004
【図３】
2018112052.tif 000005
【図４】
2018112052.tif 000006
【図５】
2018112052.tif 000007
【図６】
2018112052.tif 000008
【図７】
2018112052.tif 000009